(57)【要約】【課題】  本発明は、上記実情に鑑みて成されたものであって、様々な開口に応じて使用できる木製可動ルーバを提供することにある。【解決手段】  開口Ｌに沿って枠組みされたフレーム１ａ，１ｂ，３ａ，３ｂの左右の各縦枠材１ａ，１ｂの間に、多数の可動翼２を回転可能に軸支し、当該各可動翼２には、各々の傾斜角度を同期調節する連動操作棒６を備え、この連動操作棒６の可動によって前記傾斜角度に応じた光線の遮蔽状態を形作る木製ルーバであって、前記各可動翼２の左右いずれかの側に前記連動操作棒６を配設すると共に、前記縦枠材１ｂには、連動操作棒６を収めるスペースＳを設けており、各可動翼２の左右両側端には、各縦枠材１ａ，１ｂの対向位置から突出する各第１支軸４ａの第１軸承部５ａを設ける一方、当該第１軸承部５ａの前後いずれかの箇所には、前記連動操作棒６の第２軸承部５ｂへ挿入する第２支軸４ｂを備え、前記連動操作棒６の可動範囲Ｐは、前記スペースＳの内側となるように形成していることを特徴とする木製可動ルーバ。【選択図】      図５（ａ）（ｂ）（ｃ）
2006057284.tif 000002
【特許請求の範囲】
【請求項１】
開口（Ｌ）に沿って枠組みされたフレーム（１ａ，１ｂ，３ａ，３ｂ）の左右の各縦枠材（１ａ，１ｂ）の間に、多数の可動翼（２）を回転可能に軸支し、当該各可動翼（２）には、各々の傾斜角度を同期調節する連動操作棒（６）を備え、この連動操作棒（６）の可動によって前記傾斜角度に応じた光線の遮蔽状態を形作る木製可動ルーバであって、
前記各可動翼（２）の左右いずれかの側に前記連動操作棒（６）を配設すると共に、前記縦枠材（１ｂ）には、連動操作棒（６）を収めるスペース（Ｓ）を設けており、
各可動翼（２）の左右両側端には、各縦枠材（１ａ，１ｂ）の対向位置から突出する各第１支軸（４ａ）の第１軸承部（５ａ）を設ける一方、当該第１軸承部（５ａ）の前後いずれかの箇所には、前記連動操作棒（６）の第２軸承部（５ｂ）へ挿入する第２支軸（４ｂ）を備え、
前記連動操作棒（６）の可動範囲（Ｐ）は、前記スペース（Ｓ）の内側となるように形成していることを特徴とする木製可動ルーバ。
【発明の詳細な説明】
【技術分野】
【０００１】
本発明は、太陽光や照明による光線の照射を調整する為に、光線の差込口に渡しかける可動翼を具備したルーバに関するものであって、特に材料として天然木を用いたルーバに関するものである。
【背景技術】
【０００２】
現在、室内外用建具の主流はアルミ製のものであるが、近年のストレス社会やシックハウス症候群等の問題を鑑み、天然木を取り入れた木製建具に注目が集まっている。
【特許文献１】特開２０００−２５７３４７号公報（１頁目、図１）
【発明の開示】
【発明が解決しようとする課題】
【０００３】
そして、近年注目される木製建具の中の一つに木製可動ルーバがあり、この木製可動ルーバは、開口に沿って装着した上下左右の各枠材のうちの左右の各枠材間に、上下に多数の可動翼を軸支してなるものである。さらに使用者が連動操作棒を上げ下げして、各可動翼の傾斜を調節するものであった。ところが、この種の可動翼を供えた木製可動ルーバでは、各可動翼の傾斜を調節するための連動操作棒を備えているが、一般に前記連動操作棒は、枠材の前面あるいは後面から突き出した状態にある。これにより木製可動ルーバの適用は、例えばフィックス窓等の固定された開口に制限される不都合があった。
【０００４】
本発明は、上記課題に鑑みて成されたものであって、様々な開口に応じて使用できる木製可動ルーバを提供することにある。
【課題を解決するための手段】
【０００５】
本発明は、開口に沿って枠組みされたフレームの左右の各縦枠材の間に、多数の可動翼を回転可能に軸支し、当該各可動翼には、各々の傾斜角度を同期調節する連動操作棒を備え、この連動操作棒の可動によって前記傾斜角度に応じた光線の遮蔽状態を形作る木製ルーバであって、前記各可動翼の左右いずれかの側に前記連動操作棒を配設すると共に、前記縦枠材には、連動操作棒を収めるスペースを設けており、各可動翼の左右両側端には、各縦枠材の対向位置から突出する各第１支軸の第１軸承部を設ける一方、当該第１軸承部の前後いずれかの箇所には、前記連動操作棒の第２軸承部へ挿入する第２支軸を備え、前記連動操作棒の可動範囲は、前記スペースの内側となるように形成していることを特徴とする。
【０００６】
ここで前後左右の方向は、木製可動ルーバを正面視した状態を基準としたものである。また本木製可動ルーバの適用箇所は、例えば窓や間仕切り戸等、室内外問わずに利用できるため、前述した前後左右の方向については、本木製可動ルーバの使用形態によって室内、室外、隣室等に当てはめられる。さらに支軸と軸承部は、各々の軸支が可能であれば、縦枠材、可動翼、連動操作棒においてどのような組み合わせで設けてもよい。また縦枠材に設ける連動操作棒用のスペースについては、連動操作棒の可動を遮らないもの、具体的には左右いずれかの縦枠材に、連動操作棒の可動範囲に相当する大きさの切欠等を設けるものである。
【０００７】
以上のように形成すると、各可動翼の左右いずれかの側に連動操作棒を配設してあり、さらに前記連動操作棒が、可動時においても縦枠材に設けたスペースに格納されるような状態となるから、本木製可動ルーバの本体の前後から前記連動操作棒が突き出すことなく、各可動翼による光線の遮蔽具合を自在に調節できる。
【発明の効果】
【０００８】
本発明によれば、各可動翼の遮蔽具合を調節する際、枠材の前後から連動操作棒が突出しないので、通常フィックス窓等の嵌めこみ形式のものに限定されていたこの種の木製可動ルーバを、例えば各引戸間の間隔がシビアな引違戸等にも使用できることから、製品対応の幅が格段に拡げられて、商品価値の飛躍的な向上が図られる。
【０００９】
また、本木製可動ルーバの前後から連動操作棒が突出しないことで、例えば本木製可動ルーバの搬送時において他物との接触が皆無となり、結果、製品の確実な保全が図られる。
【発明を実施するための最良の形態】
【００１０】
以下、本発明による木製可動ルーバの実施の形態を図面に基づいて以下に説明する。
まず本木製可動ルーバの全体の構成は図１と図２のように、開口Ｌに装着される木製のフレームを形成する上桟３ａと下桟３ｂ、そして平行に配置された左右の各縦枠材１ａ，１ｂのうちの当該各縦枠材１ａ，１ｂの間に、上下に等間隔に複数の木製の可動翼２を連結金具Ｊによって回転可能に軸支してあり、さらに各可動翼２の間隔をあけた右側位置には、前記連結金具Ｊの第２支軸４ｂを介して上下に延長した連動操作棒６を配設し、一方の縦枠材１ｂには、前記連動操作棒６の可動範囲Ｐに応じた形状及び大きさの切欠Ｓを設けており、この連動操作棒６の可動による各可動翼２の傾斜に応じた遮蔽状態を形作っている（図５（ａ）（ｂ）（ｃ）参照）。
【００１１】
次に各可動翼２の具体的な構成については図３と図４に示すように、長手側の全長に亘って断面形状が扁平な楕円形状をなしており、さらに各可動翼２の側端面における中央やや後寄りの箇所には、縦枠材１ａ，１ｂに埋め込まれた第１支軸４ａが突入し、可動翼２の傾斜角度を可変可能な状態で軸支している。そして前記第１支軸４ａの先部分の断面形状は、下部に平坦部８を設けた半円状をなしており、この平坦部８が可動翼２に係止することで当該各可動翼２に回転力を付与するしくみとなっている。また第１支軸４ａの周囲には各縦枠材１ａ，１ｂへの固定手段を兼ねた板バネ７が巻きつけてあり、連動操作棒６の動きに伴う各可動翼２の回転時に板バネ７の締め付け力によって負荷を与えることで、板バネ７の締め付け力に逆らって各可動翼２の傾斜角度を調節した後は、再び前述した締め付け力が働いて、その調節後の傾斜角度を保って固定される。
【００１２】
また縦枠材１ｂと可動翼２との連結金具Ｊを更に詳細に説明すると、この連結金具Ｊは、可動翼２の厚みとほぼ一致する間隔の幅片１１と、該幅片１１の上縁から左方に向けて水平に突出した上片９と、幅片１１の下縁から前記上片９と平行して突出した下片１０とから断面形状がコ字型をなすものであり、幅片１１を可動翼２の厚みよりも僅かに小さくし、上片９と下片１０によって可動翼２を挟持している。さらに前記下片１０は、上片９よりも左方に延長しており、これにより可動翼２の支持力を高めている。また上下各片９，１０は可動翼２の楕円形状に合わせて、それぞれが緩やかに彎曲した形状をなしており（図４参照）、さらに前記幅片１１の前部側には起立片１２を設けており、この起立片１２の上部には第２支軸４ｂを縦枠材１ｂ側に向けて水平に突出している（図３参照）。また前記起立片１２における第２支軸４ｂを設ける箇所は、可動翼２と連動操作棒６との間に僅かな間隔が形成されるような位置取りとなっている。このようにすると、連動操作棒６と各可動翼２とが接触せず、当該各可動翼２の回転がスムーズに行われる。また、第１軸承部５ａの後部側の上片９と下片１０との間に錘１３を嵌め込むことで、連動操作棒６の軸支によって前部側に重くなっている可動翼２の前後の重量バランスを取り、未調節時において各可動翼２を常に水平位置へ自然に復帰するようにしてある。このようにすると、板バネ７の締め付け力のみで連動操作棒６の重量を支える必要がなくなり、該板バネ７による第１支軸４ａへの締め付け力を調節後の傾斜角度を保つのに最低限必要な状態に設定でき、回転時の使用者への負荷を軽減することができる（図４参照）。
【００１３】
さらに縦枠材１ｂに設けた切欠Ｓについて具体的に説明すると、この切欠Ｓは、縦枠材１ｂの前側の約半分程度の厚み、そして該切欠Ｓの上下の長さは、各可動翼２の傾斜の調節時に連動操作棒６が上げ下げされる可動範囲Ｐ以上に抉られている。この切欠Ｓにより形成された空間には、連動操作棒６が格納される。
【００１４】
以上のように本木製可動ルーバを形成すると図５（ａ）（ｂ）（ｃ）に示すように、各可動翼２が閉じた状態（可動翼２の長径側が上下に向いた状態）では、切欠Ｓにある連動操作棒６が下がると共に、縦枠材１ｂの切欠Ｓにおける後側端面に当接しており、それ以上の各可動翼２の回転を規制している（図５（ａ）参照）。次に使用者が連動操作棒６を持ち上げ、各可動翼２を水平となるように調節した場合には、この連動操作棒６が縦枠材１ｂの前面側Ｆａよりも奥まった状態となり、切欠Ｓの範囲内に収まるように設定されている（図５（ｂ）参照）。そして連動操作棒６をそのまま持ち上げ、可動翼２を上向きに傾斜した場合には、前記連動操作棒６は上方に向けて回動すると共に、切欠Ｓの後側端面に当接し、それ以上の回動を規制される（図５（ｃ）参照）。従って、可動翼２の傾斜角度の調節がなされる場合、それに伴う連動操作棒６の可動範囲Ｐについても縦枠材１ｂの前面側Ｆａから前方側に、前記連動操作棒６の前面側Ｆｂが突き出さないので、例えば本木製可動ルーバを引違戸等として利用できる。ここで引違戸の各引戸間のクリアランスについては、通常約５ｍｍ程に設定されており、引戸の一面側からの僅かな突出があっても、互いの引戸が干渉する不都合があることから、可動翼２の傾斜角度がどの遮蔽状態にあっても連動操作棒６が切欠Ｓに納まっていることで、建て込み条件の比較的シビアな開口Ｌにおいても、前述した引違戸に限らず様々な態様をなす木製可動ルーバが適用できる。
【図面の簡単な説明】
【００１５】
【図１】本発明の木製可動ルーバの全体を示す正面図である。
【図２】図１のＡ−Ａ線縦断面図である。
【図３】図１中Ｂを拡大し、その一部を切欠した図である。
【図４】図２中Ｃを拡大し、その一部を切欠した縦断面図である。
【図５（ａ）（ｂ）（ｃ）】本発明の木製可動ルーバの作動状態を説明する図である。
【符号の説明】
【００１６】
１ａ，１ｂ  縦枠材（フレーム）
２  可動翼
３ａ  上桟（フレーム）
３ｂ  下桟（フレーム）
４ａ  第1支軸
４ｂ  第２支軸
５ａ  第１軸承部
５ｂ  第２軸承部
６  連動操作棒
Ｐ  可動範囲
Ｓ  切欠（スペース）
【図１】
2006057284.tif 000003
【図２】
2006057284.tif 000004
【図３】
2006057284.tif 000005
【図４】
2006057284.tif 000006
【図５（ａ）（ｂ）（ｃ）】
2006057284.tif 000007